(57)【特許請求の範囲】
【請求項１】
三次元表示が可能な表示部に表示情報を再生させる端末装置であって、
前記表示情報が前記表示部に再生される際の現在の位置情報を取得する位置取得手段と、
この位置取得手段によって取得された位置情報に基づいて、現在の場所が前記表示情報を三次元表示するのに適している環境か否かを特定し、当該表示情報の三次元表示での適性を判別する判別手段と、
この判別手段によって判別された三次元表示での適性に基づいて三次元表示の深度を決定する決定手段と、
この決定手段によって決定された三次元表示の深度で前記表示情報を前記表示部に表示させる表示制御手段と、
を備え、
前記判別手段は、前記位置取得手段によって取得された現在の位置情報が予め設定されている前記表示情報を三次元表示するのに適している環境か否かを示す特定場所に該当するかに応じて前記表示情報の三次元表示での適性を判別することを特徴とする端末装置。
【請求項２】
前記決定手段は、前記判別手段によって判別された三次元表示での適性に基づいて、前記表示情報を前記表示部に二次元表示させるか三次元表示させるかの表示制御を決定する、
ようにしたことを特徴とする請求項１記載の端末装置。
【請求項３】
前記判別手段は、前記表示情報の三次元表示での適性として、その適性具合を判別し、
前記決定手段は、前記判別手段によって判別された適性具合に応じて三次元表示の深度を決定する、
ようにしたことを特徴とする請求項１記載の端末装置。
【請求項４】
前記表示情報の三次元表示での適性を判別するための情報を表示制御情報としてユーザ操作によって任意に設定する設定手段を更に備え、
前記判別手段は、前記表示情報の内容が前記表示制御情報を満たすか否かに基づいて当該表示情報の三次元表示での適性を判別する、
ようにしたことを特徴とする請求項１記載の端末装置。
【請求項５】
前記三次元表示での適性に応じた表示制御の実行可否をユーザ操作によって任意に選択する第１の選択手段を更に備え、
前記表示制御手段は、前記第１選択手段によって選択された表示制御の実行可否に応じて前記表示制御の実行を制御する、
ようにしたことを特徴とする請求項１記載の端末装置。
【請求項６】
前記二次元表示と三次元表示との間で表示切替の表示制御を行うか、三次元表示の深度を変更する表示制御を行うかを選択する第２の選択手段を更に備え、
前記表示制御手段は、前記第２の選択手段によって選択された選択結果に応じた表示制御を行う、
ようにしたことを特徴とする請求項２記載の端末装置。
【発明の詳細な説明】
【技術分野】
【０００１】
本発明は、三次元表示が可能な表示部に表示情報を表示させる端末装置に関する。
【背景技術】
【０００２】
従来、平面状の表示部に画像（静止画、動画）、テキスト、メニューなどの表示情報を三次元表示（３Ｄ表示）してユーザに立体視させるようにした技術には、各種の技術があり、例えば、二次元（２Ｄ）表示情報の中のオブジェクトに立体に見えるような視覚効果を施して、そのオブジェクトを立体に見せる技術がある。なお、ポリゴンを利用した技術はこの技術の一例である。また、ユーザの右目と左目の視差を利用した技術もある。すなわち、互いに少しずらした右目用の表示情報と左目用の表示情報を用意し、それら２つの表示情報を同時に表示させた際に、右目用の表示情報は右目で見えて左目では見えないように、左目用の表示情報は左目で見えて右目では見えないようにするために、光の経路を遮断する電子式の視差バリア（スイッチング液晶パネル）を適切な位置に配置することによって表示情報を立体に見せるようにした技術である。
【０００３】
上述したいずれの３Ｄ表示技術においても、３Ｄの奥行きや飛び出しの程度を示す３Ｄ深度というパラメータがあり、この３Ｄ深度が大きいほど、ユーザには表示情報がより深く、あるいはより飛び出して見えることになる。反対に３Ｄ深度が小さいほど、表示情報が浅く見える、あるいはあまり飛び出して見えないことになり、３Ｄ深度がセロでは、２Ｄに見える（すなわち２Ｄ表示する）ということになる。ところで、従来、  電子式の視差バリアを用いて、平面（２Ｄ）／立体（３Ｄ）画像を適宜変換して表示する表示システムが知られている（特許文献１参照）。
【先行技術文献】
【特許文献】
【０００４】
【特許文献１】特開２００６−１２１５５３号公報
【発明の概要】
【発明が解決しようとする課題】
【０００５】
ところで、デジタルテレビ放送にあっては、アナログテレビ放送のように電波状態がそのままダイレクトに反映されるようなことは少ないが、例えば、電波状態が悪い状況で３Ｄ表示を行うことは、ブロックノイズが多くなって３Ｄ化の効果が得られないだけでなく、返って見にくい画像をユーザに見せることになってしまう。また、３Ｄ処理は、電力消費が多いため、いつも３Ｄ表示を行うことは、電力消費の点で好ましくない。
【０００６】
本発明の課題は、３Ｄ表示が可能な表示部に表示情報を表示させる場合の環境に応じて適切な表示を実現できるようにすることである。
【課題を解決するための手段】
【０００７】
上述した課題を解決するために請求項１記載の発明は、三次元表示が可能な表示部に表示情報を再生させる端末装置であって、前記表示情報が前記表示部に再生される際の現在の位置情報を取得する位置取得手段と、この位置取得手段によって取得された位置情報に基づいて、現在の場所が前記表示情報を三次元表示するのに適している環境か否かを特定し、当該表示情報の三次元表示での適性を判別する判別手段と、この判別手段によって判別された三次元表示での適性に基づいて三次元表示の深度を決定する決定手段と、この決定手段によって決定された三次元表示の深度で前記表示情報を前記表示部に表示させる表示制御手段と、を備え、前記判別手段は、前記位置取得手段によって取得された現在の位置情報が予め設定されている前記表示情報を三次元表示するのに適している環境か否かを示す特定場所に該当するかに応じて前記表示情報の三次元表示での適性を判別することを特徴とする。
【０００９】
請求項１に従属する発明として、前記決定手段は、前記判別手段によって判別された三次元表示での適性に基づいて、前記表示情報を前記表示部に二次元表示させるか三次元表示させるかの表示制御を決定する、ようにしたことを特徴とする請求項２記載の発明であってもよい。
【００１０】
請求項１に従属する発明として、前記判別手段は、前記表示情報の三次元表示での適性として、その適性具合を判別し、前記決定手段は、前記判別手段によって判別された適性具合に応じて三次元表示の深度を決定する、ようにしたことを特徴とする請求項３記載の発明であってもよい。
【００１１】
請求項１に従属する発明として、前記表示情報の三次元表示での適性を判別するための情報を表示制御情報としてユーザ操作によって任意に設定する設定手段を更に備え、前記判別手段は、前記表示情報の内容が前記表示制御情報を満たすか否かに基づいて当該表示情報の三次元表示での適性を判別する、ようにしたことを特徴とする請求項４記載の発明であってもよい。
【００１２】
請求項１に従属する発明として、前記三次元表示での適性に応じた表示制御の実行可否をユーザ操作によって任意に選択する第１の選択手段を更に備え、前記表示制御手段は、前記第１選択手段によって選択された表示制御の実行可否に応じて前記表示制御の実行を制御する、ようにしたことを特徴とする請求項５記載の発明であってもよい。
【００１３】
請求項２に従属する発明として、前記二次元表示と三次元表示との間で表示切替の表示制御を行うか、三次元表示の深度を変更する表示制御を行うかを選択する第２の選択手段を更に備え、前記表示制御手段は、前記第２の選択手段によって選択された選択結果に応じた表示制御を行う、ようにしたことを特徴とする請求項６記載の発明であってもよい。
【発明の効果】
【００１５】
本発明によれば、３Ｄ表示が可能な表示部に表示情報を表示させる場合の環境に応じて適切な表示を実現することができ、実用性に富んだものとなる。
【図面の簡単な説明】
【００１６】
【図１】端末装置として適用した携帯電話機が利用可能な通信ネットワークシステムを示したブロック図。
【図２】携帯電話機１の基本的な構成要素を示したブロック図。
【図３】表示制御情報記憶部Ｍ３を説明するための図。
【図４】（１）は、表示制御フラグＣＦを説明するための図、（２）は、表示制御フラグＣＦの“１”を選択する場合の設定画面を示した図、（３）は、表示制御フラグＣＦの“２”を選択する場合の設定画面を示した図。
【図５】テレビアプリなどのビューワアプリの起動で実行開始される表示制御処理を示したフローチャート。
【図６】第１実施形態の変形応用例を示し、テレビ機能の起動操作に応じてテレビ放送の受信を開始した際に実行開始される表示制御処理を示したフローチャート。
【図７】第２実施形態において、放送コンテンツの録画・再生処理を示したフローチャート。
【図８】第３実施形態において、テレビ機能の起動に応じて実行開始される表示制御処理を示したフローチャート。
【図９】第４実施形態において、表示制御情報記憶部Ｍ３を説明するための図。
【図１０】第４実施形態において、コンテンツ記憶部Ｍ４を説明するための図。
【図１１】第４実施形態において、コンテンツ再生操作に応答して実行開始される表示制御処理を示したフローチャート。
【発明を実施するための形態】
【００１７】
（実施形態１）
以下、図１〜図５を参照して本発明の第１実施形態を説明する。
この実施形態は、端末装置として携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）、カメラ機能のほか、デジタルテレビ放送（例えば、ワンセグ地上デジタルテレビ放送）を受信して視聴が可能なテレビ機能及び３Ｄ（三次元）表示機能、録画機能などが備えられている。３Ｄ表示機能は、左右の目の視差を利用した視差バリア方式によって、動画、静止画、テキスト、メニューなどの表示情報（コンテンツ）を２Ｄ（二次元）表示させるのではなく、３Ｄの奥行きあるいは飛び出しの程度を示す３Ｄ深度で表示させる機能である。録画機能は、テレビ放送などの受信コンテンツを録画（録音を含む、以下、同様）する機能で、録画に限らず、録音を行うコンテンツ記録機能である。
【００１８】
携帯電話機１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してインターネット３に接続されると、Ｗｅｂサイトをアクセスして閲覧可能となり、また、情報配信装置４から動画、静止画、音楽、ニュース、音楽などのマルチメディアのコンテンツをインターネット３、無線通信網２を介してダウンロードして再生するストリーミングが可能となる。
【００１９】
また、携帯電話機１は、テレビ局５から送信アンテナ６を介して発信された地上波デジタル放送（放送コンテンツ）を受信するようにしているが、インターネットラジオのように無線通信網２、インターネット３を介して情報配信装置４からデジタル放送をダウンロード受信したりすることもできる。このように携帯電話機１は、テレビ機能などを介して放送コンテンツを受信したり、インターネット接続機能を介してストリーミング用コンテンツをダウンロード受信したりすることができるようになっている。その他に、着脱自在な可搬型メモリカードなどの記録メディア７から各種コンテンツを取得したり、Bluetooth（登録商標）通信、赤外線通信などの近距離通信を介して他の携帯電話機などの外部機器８から各種のコンテンツを取得したりすることができるようになっている。
【００２０】
図２は、携帯電話機１の基本的な構成要素を示したブロック図である。
中央制御部１１は、二次電池を備えた電源部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、表示制御情報記憶部Ｍ３、後述する第３実施形態で使用するコンテンツ記憶部Ｍ４などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００２１】
プログラム記憶部Ｍ１には、図５に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、表示制御情報記憶部Ｍ３については後で詳述するものとする。
【００２２】
その他アプリ処理関係部１４は、電子メール機能、インターネット接続機能、カメラ機能、テレビ機能などのアプリケーション処理に関する情報を記憶したり、その処理に関する制御を行ったりする。無線通信部１５は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調した後、音声信号処理部１６を介して通話用スピーカＳＰから音声出力させ、また、通話用マイクＭＣからの入力音声データを音声信号処理部１６から取り込み、送信ベースバンド信号に符号化した後、ベースバンド部の送信側に与えてアンテナＡＴ１から発信出力させる。
【００２３】
テレビ放送受信部１７は、テレビ機能を構成するもので、通信端末装置向けのワンセグ地上波デジタルテレビ放送のほか、電子番組表（ＥＰＧ情報）などの番組情報も含めて受信可能となっている。このテレビ放送受信部１７は、テレビ用アンテナＡＴ２によって受信したテレビ放送信号の中から予め選局されているチャンネルの放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００２４】
撮像処理部１８は、静止画撮影のほかに動画撮影も可能なカメラ機能を構成するもので、撮影レンズ、ミラーなどのレンズ・ミラーブロック、撮像素子、その駆動系のほか、測距センサ、光量センサ、アナログ処理回路、信号処理回路、圧縮伸張回路などを備え、光学ズームを調整制御したり、撮像する焦点を調整するオートフォーカス、あるいはユーザ操作による手動フォーカスを調整制御したり、シャッター駆動制御、露出、ホワイトバランスなどを制御したりするようにしている。
【００２５】
３Ｄ表示対応の表示部１９は、高精細液晶を使用し、例えば、文字情報、待受画像、テレビ映像、撮影画像などの表示情報（コンテンツ）を表示させるもので、この表示部１９の表面には、視差バリア（図示省略）を生成するための液晶の層が設けられていて３Ｄ表示が可能となっている。２Ｄ／３Ｄ変換処理部２０は、２Ｄコンテンツを３Ｄ深度に応じた右目用のコンテンツと左目用のコンテンツに変換したり、３Ｄコンテンツを別の３Ｄ深度のコンテンツに変換したり、３Ｄコンテンツを２Ｄコンテンツに変換したりするもので、この３Ｄ変換処理部２０によって変換されたコンテンツは、表示部１９に３Ｄ表示されたり２Ｄ表示されたりする。
【００２６】
操作部２１は、ダイヤル入力、文字入力、コマンド入力などを入力するもので、中央制御部１１は、この操作部２１からの入力操作信号に応じた処理を実行する。報知部２２は、図示しないサウンドスピーカ、ＬＥＤ（発光ダイオード）ランプ、振動モータを備え、着信時に駆動されて着信報知を行うほか、アラーム報知時などでも駆動される。位置検出部２３は、ＧＰＳ受信部（Global Positioning System）を構成し、ＧＰＳ衛星（図示せず）と地上局とを利用して現在位置（経緯度情報）をアンテナＡＴ３によって受信するもので、中央制御部１１は、位置検出部２３をアクセスして現在の位置情報を取得する。
【００２７】
図３は、表示制御情報記憶部Ｍ３を説明するための図である。
表示制御情報記憶部Ｍ３は、表示対象のコンテンツを受信する際の受信環境としての「受信状況」と、この「受信状況」に基づいて表示部１９に当該コンテンツを２Ｄ表示させるか３Ｄ表示させるかを示すほかに３Ｄ表示させる場合にはその適性具合に応じてどの位の深さ（強さ）の３Ｄ深度で表示させるかを示す「表示制御情報」とを対応付けて記憶する構成となっている。
【００２８】
この表示制御情報記憶部Ｍ３の内容は、ユーザ操作によって任意に設定可能なもので、メーカ側で予め設定されているデフォルト内容の一部をユーザ操作に応じて変更可能となっている。中央制御部１１は、この表示制御情報記憶部Ｍ３を参照し、表示対象として放送コンテンツを受信したり、ストリーミング用コンテンツを受信したりする際の受信環境に基づいて当該コンテンツの３Ｄ表示での適正を判別すると共に、この３Ｄ表示での適性に応じてその表示制御を決定し、この表示制御にしたがって表示部１９に当該コンテンツを２Ｄ表示させたり、３Ｄ表示させたりするようにしている。
【００２９】
すなわち、「受信状況」は、コンテンツを受信する際の受信環境としての受信状況（電波の強さ）を示すもので、図示の例では、電波の強さを示す範囲として
“閾値ａ未満”、“閾値ａ以上ｂ未満”、“閾値ｂ以上ｃ未満”、“閾値ｃ以上”を有している。なお、各閾値は、ａ＜ｂ＜ｃの関係となっている。この「受信状況」に対応付けられている「表示制御情報」は、現在の「受信状況」に応じて表示制御を決定する際に使用されるもので、２Ｄ表示させるか３Ｄ表示させるかを示す「２Ｄ／３Ｄ」を有するほか、３Ｄ表示させる場合にはその適性具合に応じてどの位の深さ（強さ）の３Ｄ深度で表示させるかを示す「３Ｄ深度」を有している。
【００３０】
「３Ｄ深度」は、コンテンツの３Ｄの奥行きあるいは飛び出しの程度を示すもので、“レベル３”、“レベル２”、“レベル１”、レベル０が設定され、３Ｄ深度の強い順に、レベル３＞レベル２＞レベル１＞レベル０の関係となっている。なお、“レベル０”は、３Ｄ深度が“レベル０（ゼロ）”で、２Ｄ（平面）であることを示し、「３Ｄ深度」が“レベル０”のコンテンツは、２Ｄ表示される。なお、図示の例において「２Ｄ／３Ｄ」には、「受信状況」の“閾値ａ未満”、“閾値ａ以上ｂ未満”、“閾値ｂ以上ｃ未満”、“閾値ｃ以上”に対応して、“２Ｄ”、“３Ｄ”、“３Ｄ”、“３Ｄ”が記憶されている。また、「３Ｄ深度」には、“閾値ａ未満”に対応して、“レベル０”が記憶され、“閾値ａ以上ｂ未満”に対応して“レベル１”が記憶され、閾値ｂ以上ｃ未満”に対応して“レベル２”が記憶され、“閾値ｃ以上”に対応して“レベル３”が記憶され、受信状況が良好なほど、３Ｄ深度が強くなるような表示制御を行うようにしている。
【００３１】
図４は、表示制御フラグＣＦを説明するための図である。
図４（１）に示す表示制御フラグＣＦは、上述の受信状況に応じた表示制御の実行可否を選択したり、表示制御を実行する場合には更に３Ｄ表示と２Ｄ表示との切替を行うか、３Ｄ深度の切替を行うかを選択したりするためのフラグで、ユーザ操作によって“０”、“１”、“２”のいずれかを選択可能となっている。ここで、フラグ“０”は、受信状況に応じた表示制御を実行しない状態（オフ）を示し、フラグ“１”又は“２”は、受信状況に応じた表示制御を実行する状態（オン）を示している。また、表示制御の実行を指示するフラグ“１”、“２”のうち、フラグ“１”は、受信状況に応じて３Ｄ表示と２Ｄ表示との切替を行うことを示し、フラグ“２”は、受信状況に応じて３Ｄ深度の切替を行うことを示している。
【００３２】
図４（２）は、表示制御フラグＣＦとして“１”を選択する場合の設定画面を示した図で、この設定画面には、受信状況に応じて３Ｄ表示と２Ｄ表示との切替を行うことを示すメッセージを表示すると共に、その選択項目として「切替を許可」、「切替を不許可」を表示する画面で、選択項目として「切替を許可」がユーザ操作によって選択されると、表示制御フラグＣＦには“１”が設定される。図４（３）は、表示制御フラグＣＦとして“２”を選択する場合の設定画面を示した図で、この設定画面には、受信状況に応じて３Ｄ深度の切替を行うことを示すメッセージを表示すると共に、その選択項目として「切替を許可」、「切替を不許可」を表示する画面で、選択項目として「切替を許可」がユーザ操作によって選択されると、表示制御フラグＣＦには“２”が設定される。なお、図４（２）及び（３）の設定画面において「切替を不許可」がユーザ操作によって選択されると、表示制御フラグＣＦには“０”が設定される。
【００３３】
なお、本実施形態では、図４に示すように、表示制御フラグＣＦとして“０”、“１”、“２”を選択可能とするようにしたが、更に細分化して“０”、“１”、“２”、“３”、“４”を選択することができるようにしてもよい。すなわち、表示制御フラグＣＦ
の“１”、“２”は、上述のように受信状況に応じて３Ｄ表示と２Ｄ表示との切替を選択することを示しているが、更に細かく、フラグ“１”は受信状況が弱くなった場合に３Ｄから２Ｄへの切替を選択することを示し、フラグ“２”は、受信状況が強くなった場合に２Ｄから３Ｄへの切替を選択することを示すようにしてもよい。また、表示制御フラグＣＦ
の“３”、“４”は、上述したフラグ“１”、“２”の場合と同様に、受信状況に応じて３Ｄ深度の切替を選択することを示したものであるが、更に細かく、フラグ“３”は受信状況が弱くなった場合に３Ｄ深度“レベル２”／“レベル３”（中／強）から３Ｄ深度“レベル１”（弱）への切替を選択することを示し、フラグ“４”は、受信状況が強くなった場合に３Ｄ深度“レベル１”（弱）から３Ｄ深度“レベル２”／“レベル３”（中／強）への切替を選択することを示すようにしてもよい。
【００３４】
次に、第１実施形態における携帯電話機１の動作概念を図５に示すフローチャートを参照して説明する。ここで、このフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。なお、図５は、携帯電話機１の全体動作のうち、本実施形態の特徴部分の動作概要を示したフローチャートであり、この図５のフローから抜けた際には、全体動作のメインフロー（図示省略）に戻る。
【００３５】
図５は、テレビアプリなどのビューワアプリの起動で実行開始される表示制御処理を示したフローチャートである。
先ず、中央制御部１１は、コンテンツ受信再生操作（リアルタイム再生操作）に応答して、テレビ機能が起動されたかを調べ（ステップＡ１）、テレビ機能が起動された場合には（ステップＡ１でＹＥＳ）、表示対象のコンテンツとして、テレビ放送受信部１７から放送コンテンツ（２Ｄ表示用コンテンツ）の受信を開始する（ステップＡ２）。また、インターネット接続機能が起動された場合には（ステップＡ１でＮＯ）、表示対象のコンテンツとして、無線通信部１５からストリーミング用コンテンツ（２Ｄ表示用コンテンツ）の受信を開始する（ステップＡ３）。
【００３６】
そして、予め設定されている表示制御フラグＣＦを判別し（ステップＡ４）、その値は“０”、“１”、“２”のいずれであるかを調べ（ステップＡ５）、フラグ“０”であれば、受信環境に応じた表示制御を実行しない状態（オフ）が選択されている場合であるから、ステップＡ６に移り、現在の表示モードとして２Ｄ表示モードが指定されているか３Ｄ表示モードが指定されているかを判別する。ここで、２Ｄ表示モードは、受信コンテンツを２Ｄ表示する表示モードであり、３Ｄ表示モードは、受信コンテンツを３Ｄ表示する表示モードであり、このステップＡ６の判別結果に基づいて次のステップＡ７では、表示モードに応じた２Ｄ／３Ｄ表示処理を実行する。
【００３７】
この２Ｄ／３Ｄ表示処理においては、所定キーによる表示モード切替操作によって２Ｄ表示モードと３Ｄ表示モードとをサイクリックに切り替えることができるようになっており、この表示モード切替操作によって２Ｄ表示モードが指定されているときには、受信コンテンツを表示部１９に２Ｄ表示させるが、３Ｄ表示モードが指定されているときには、受信コンテンツを表示部１９に３Ｄ表示させる。その際、２Ｄ／３Ｄ変換処理部２０では、２Ｄの受信コンテンツを３Ｄ深度に応じた右目用のコンテンツと左目用のコンテンツに変換する処理が行われるので、この変換後の受信コンテンツを３Ｄ表示させる。以下、受信コンテンツの終了を検出したり、表示終了を指示するユーザ操作が行われたりするまで（ステップＡ８）、この２Ｄ／３Ｄ表示処理を継続する（ステップＡ７）。なお、ステップＡ８での終了検出に応答して、この図５の表示制御処理は終了する。
【００３８】
また、表示制御フラグＣＦを判別した結果（ステップＡ４、Ａ５）、フラグ“１”であれば、受信状況に応じた表示制御を実行する状態（オン）が選択されている場合であるから、ステップＡ９に移り、コンテンツ受信中のテレビ放送受信部１７又は無線通信部１５においてその受信状況検出動作を開始する。すなわち、テレビ放送受信部１７においてそのアンテナからの放送信号に基づいて受信状況（電波の強さ）を検出したり、無線通信部１５においてそのアンテナからの受信信号に基づいてその受信状況（電波の強さ）を検出したりする受信状況検出動作を開始する。なお、受信状況（電波の強さ）を検出する場合、電波の強さとして、例えば、１秒程度、強い状態が続いているか弱い状態が続いているかを検出するようにしてもよい。
【００３９】
そして、現在の表示モードとして２Ｄ表示モードが指定されているか３Ｄ表示モードが指定されているかを判別し（ステップＡ１０）、３Ｄ表示モードに指定されていれば（ステップＡ１１でＹＥＳ）、現在の受信状況が３Ｄから２Ｄへの切替閾値Ｘ以下であるかを調べる（ステップＡ１２）。ここで、受信状況が良好ではなくてその切替閾値Ｘ以下であれば（ステップＡ１２でＹＥＳ）、３Ｄ表示モードから２Ｄ表示モードへの切り替えを行った後（ステップＡ１３）、表示モードに応じた２Ｄ／３Ｄ表示処理に移って、受信コンテンツを表示部１９に２Ｄ表示させる（ステップＡ１７）。
【００４０】
また、２Ｄ表示モードに指定されていれば（ステップＡ１１でＹＥＳ）、現在の受信状況が２Ｄから３Ｄへの切替閾値Ｙ以上であるかを調べ（ステップＡ１４）、受信状況が良好でその切替閾値Ｙ以上であれば（ステップＡ１４でＹＥＳ）、２Ｄ表示モードから３Ｄ表示モードへの切り替えを行った後（ステップＡ１５）、２Ｄ表示用の受信コンテンツを３Ｄ表示用のコンテンツに変換する（ステップＡ１６）。その際、２Ｄ／３Ｄ変換処理部２０では、２Ｄ表示用の受信コンテンツを右目用の３Ｄコンテンツと左目用の３Ｄコンテンツに変換する処理が行われるので、この変換後の受信コンテンツを３Ｄ表示させるために、表示モードに応じた２Ｄ／３Ｄ表示処理に移り（ステップＡ１７）、受信コンテンツを表示部１９に３Ｄ表示させる。そして、受信コンテンツの終了が検出されたり、表示終了を指示するユーザ操作が行われたりするまで（ステップＡ１８）、上述のステップＡ１０に戻り、以下、上述した動作を行う（ステップＡ１０〜Ａ１８）。なお、ステップＡ８での終了検出に応答して、この図５の表示制御処理は終了する。
【００４１】
一方、表示制御フラグＣＦを判別した結果（ステップＡ４、Ａ５）、フラグ“２”であれば、受信状況に応じた表示制御を実行する状態（オン）が選択されている場合であるから、コンテンツ受信中のテレビ放送受信部１７又は無線通信部１５においてその受信状況検出動作を開始する（ステップＡ１９）。ここで、現在の表示モードを判別した結果（ステップＡ２０）、２Ｄ表示モードであれば（ステップＡ２１でＮＯ）、表示モードに応じた２Ｄ／３Ｄ表示処理に移るが（ステップＡ２４）、３Ｄ表示モードであれば（ステップＡ２１でＹＥＳ）、表示制御情報記憶部Ｍ３を参照し、現在の受信状況に対応する「３Ｄ深度」を読み出した後（ステップＡ２２）、２Ｄの受信コンテンツを「３Ｄ深度」に応じた３Ｄ表示用のコンテンツに変換する（ステップＡ２３）。
【００４２】
その際、２Ｄ／３Ｄ変換処理部２０では、２Ｄの受信コンテンツを３Ｄ深度に応じた右目用のコンテンツと左目用のコンテンツに変換する処理が行われるので、この変換後の受信コンテンツを取得し、読み出した「３Ｄ深度」で表示部１９に３Ｄ表示させる（ステップＡ２４）。そして、受信コンテンツの終了が検出されたり、表示終了を指示するユーザ操作が行われたりするまで（ステップＡ２５）、上述のステップＡ２０に戻る。なお、ステップＡ２５での終了検出に応答して、図５の表示制御処理は終了する。
【００４３】
以上のように、第１実施形態において中央制御部１１は、受信したコンテンツを３Ｄ表示が可能な表示部１９に表示させる場合に、このコンテンツを受信した際の受信状況に基づいて当該コンテンツの３Ｄ表示での適性を判別し、この３Ｄ表示での適性に応じて決定された表示制御にしたがって当該コンテンツを表示部１９に表示させるようにしたので、コンテンツの受信状況に応じて２Ｄ表示の見易い表示から臨場感のある３Ｄ表示まで適切な表示を実現することができる。この場合、電波状態が良好ではない状況で３Ｄ表示を行うと、ブロックノイズが多くなって３Ｄ化の効果が得られないだけでなく、返って見にくい画像となるが、電波状態が良好ではない状況下では２Ｄ表示を行うことで、視易さと共に、電力消費の点でも有利になるなどの効果を有し、実用性に富んだものとなる。
【００４４】
テレビ放送受信部１７から放送コンテンツを受信する際の受信状況を受信環境として取得し、その受信状況に基づいて当該コンテンツ報の３Ｄ表示での適正を判別するようにしたので、放送コンテンツの表示制御をそのときの受信状況に応じて適切に行うことができる。
【００４５】
コンテンツをネットワーク経由で受信してリアルタイム再生する場合に、その受信状況に基づいて当該コンテンツ報の３Ｄ表示での適正を判別するようにしたので、ネットワーク経由で受信したコンテンツの表示制御をそのときの受信状況に応じて適切に行うことができる。
【００４６】
３Ｄ表示での適性に基づいて当該コンテンツを２Ｄ表示させるか３Ｄ表示させるかを制御するようにしたので、２Ｄ表示と３Ｄ表示とを適切に切り替えることができる。
【００４７】
３Ｄ表示での適性に応じて３Ｄの奥行きや飛び出しの程度を示す３Ｄ深度を決定して３Ｄ表示させるようにしたので、コンテンツの内容に応じて３Ｄ深度を制御することができる。
【００４８】
３Ｄ表示での適性具合に応じて３Ｄ深度を決定するようにしたので、より３Ｄ表示に適しているコンテンツをより強い３Ｄ深度で表示させることができる。
【００４９】
３Ｄ表示に適しているか否かを判別するために表示制御情報記憶部Ｍ３の内容をユーザ操作によって任意に設定可能としたので、ユーザの好みに応じて臨場感のある３Ｄ表示を実現することができる。
【００５０】
３Ｄ表示での適正に応じた表示制御の実行可否（オン／オフ）をユーザ操作によって任意に選択する表示制御フラグＣＦを設け、この表示制御フラグＣＦの値を“０”／“１”又は“２”とすることで、その選択結果に応じた表示制御を行うようにしたので、３Ｄ表示での適正に応じた表示制御の実行可否をユーザの要求に応じて制御することができる。
【００５１】
２Ｄ表示と３Ｄ表示との間で表示切替を行うか、３Ｄ表示の深度の変更を行うかを選択する表示制御フラグＣＦを設け、この表示制御フラグＣＦの値を“１”／“２”とすることで、その選択結果に応じた表示制御を行うようにしたので、２Ｄ表示と３Ｄ表示との間で表示切替を行うか、３Ｄ表示の深度の変更を行うかをユーザの要求に応じて制御することができる。すなわち、電波が弱い受信状況でコンテンツ表示をより視易くするために、２Ｄ化を行うか３Ｄ弱化を行うかをユーザ操作によって選択することができ、また、電波が強い受信状況で臨場感のあるコンテンツ表示となるようにするために、３Ｄ化を行うか３Ｄ強化を行うかをユーザ操作によって選択することができる。
【００５２】
なお、上述した第１実施形態においては、コンテンツを受信する際の受信状況として電波の強さを検出するようにしたが、このような受信状況検出機能を備えていない場合でも、コンテンツの送信地点から現在地点までの距離を測定し、その測定距離に基づいて受信状況を推測するようにしてもよい。すなわち、受信状況を推測する要素の一つとして、送信地点からの距離を測定するようにしてもよい。図６は、第１実施形態の変形応用例としての表示制御処理を説明するためのフローチャートである。
【００５３】
図６は、テレビ機能の起動操作に応じてテレビ放送の受信を開始した際に実行開始される表示制御処理を示したフローチャートである。
先ず、中央制御部１１は、テレビ機能の起動操作に応じてテレビ放送の受信を開始すると、位置検出部２３から現在の位置情報を取得した後（ステップＢ１）、現在位置を含む周辺地図に基づいて最寄りの放送局（中継局を含む）を地図上で検索し（ステップＢ２）、その放送局の位置情報を取得する（ステップＢ３）。そして、この放送局の位置情報と現在の位置情報に基づいて放送局からの距離（直線距離）を算出する（ステップＢ４）。
【００５４】
そして、放送局から現在位置までの距離が所定距離以上か、つまり、受信状況が良好なエリア内に居るかを調べ（ステップＢ５）、所定距離以上であって、受信状況が良好なエリアから外れている場合には（ステップＢ５でＹＥＳ）、受信した放送コンテンツを２Ｄ表示させるが（ステップＢ６）、所定距離未満であって、受信状況が良好なエリア内に居る場合には（ステップＢ５でＮＯ）、受信した放送コンテンツを３Ｄ表示させる（ステップＢ７）。以下、放送コンテンツの受信を終了するまで（ステップＢ８）、上述のステップＢ１に戻り、上述の動作を行う。
【００５５】
このように図６に示す表示制御処理においては、放送局から現在位置までの距離を放送コンテンツの受信状況として取得し、この受信状況に基づいて当該放送コンテンツの３Ｄ表示での適正を判別するようにしたので、放送局から現在位置までの距離に基づいて２Ｄ表示と３Ｄ表示とを切り替えることができる。
【００５６】
（実施形態２）
以下、本発明の第２実施形態について図７を参照して説明する。
なお、上述した第１実施形態においては、受信したコンテンツをそのときの受信状況に応じて２Ｄ表示／３Ｄ表示させる場合に、この受信コンテンツをリアルタイムに再生するようにしたが、この第２実施形態においては、受信した放送コンテンツを録画（録音も含む、以下同様）した後において、その録画内容の再生時に受信状況に応じて２Ｄ表示／３Ｄ表示させるようにしたものである。ここで、各実施形態において基本的あるいは名称的に同一のものは、同一符号を付して示し、その説明を省略すると共に、以下、第２実施形態の特徴部分を中心に説明するものとする。
【００５７】
図７は、第２実施形態において、放送コンテンツの録画・再生処理を示したフローチャートである。
先ず、中央制御部１１は、放送コンテンツの録画を指示する録画指示操作が行われたかを調べたり（ステップＣ１）、録画内容の再生を指示する再生指示操作が行われたかを調べたりする（ステップＣ２）。いま、録画指示操作が行われた場合には（ステップＣ１でＹＥＳ）、テレビ放送受信部１７を起動させて放送コンテンツの受信を開始すると共に（ステップＣ３）、その受信状況検出動作を開始する（ステップＣ４）。そして、受信した放送コンテンツの録画動作を行うほか（ステップＣ５）、この録画動作に追従して現在の受信状況を検出すると共に検出した現在の受信状況を逐次記録する記録動作を行う（ステップＣ６）。以下、録画対象の番組終了を検出したり、録画終了がユーザ操作によって指示されたりするまで（ステップＣ７）、上述のステップＣ５に戻って録画動作を行う（ステップＣ５〜Ｃ７）。これによって録画内容と受信状況の記憶内容とが対応付けて保存されることになる。
【００５８】
一方、再生指示操作が行われた場合には（ステップＣ２でＹＥＳ）、再生対象として任意に選択された録画内容に対応付けて受信状況が記録されているかを調べ（ステップＣ８）、受信状況が記憶されていなければ（ステップＣ８でＮＯ）、表示モードに応じて録画内容を２Ｄ／３Ｄ表示させる再生処理に移るが（ステップＣ１４）、受信状況が記憶されていれば（ステップＣ８でＹＥＳ）、この受信状況を読み出す（ステップＣ９）。以下、この受信状況に基づいて録画内容の３Ｄ表示での適正を判別し、その判別結果に基づいてその表示制御を行う処理に移る（ステップＣ１０〜Ｃ１４）。
【００５９】
すなわち、再生対象として選択された録画内容をその先頭から読み出して再生正する際に、その受信状況をその先頭から読み出し（ステップＣ９）、受信状況が３Ｄから２Ｄへの切替閾値Ｘ以下であれば（ステップＣ１０でＹＥＳ）、３Ｄ表示モードから２Ｄ表示モードへの切り替えを行うが（ステップＣ１１）、受信状況が２Ｄから３Ｄへの切替閾値Ｙ以上であれば（ステップＣ１２でＹＥＳ）、２Ｄ表示モードから３Ｄ表示モードへの切り替えを行う（ステップＣ１３）。そして、この表示モードに応じた２Ｄ／３Ｄ表示処理を実行することによって、受信状況に応じた表示制御を行う（ステップＣ１４）。以下、録画内容をその最後まで再生し終わったことを検出したり、再生終了がユーザ操作によって指示されたりするまで（ステップＣ１５）、上述のステップＣ９に戻って再生動作を行う。なお、ステップＣ１４での終了検出に応答して、図７の表示制御処理は終了する。
【００６０】
以上のように、この第２実施形態においては、録画再生する際にもその録画時の受信状況に基づいて当該コンテンツの３Ｄ表示での適正を判別するようにしたので、放送コンテンツをリアルタイム再生する場合に限らず、録画再生する際にも、その表示制御を受信状況に応じて適切に行うことができる。
【００６１】
なお、上述した第２実施形態においては、録画時には録画動作のみを行うようにした場合を例示したが、放送コンテンツを録画すると共に、その放送コンテンツをリアルタイム再生するようにしてもよい。この場合、録画動作と共に受信状況の記録動作を行うほか、上述した第１実施形態と同様に、現在の受信状況に基づいて３Ｄ表示での適正を判別し、その判別結果に応じてリアルタイム再生時における表示を制御するようにすればよい。
【００６２】
その他、上述した第１及び第２実施形態においては、３Ｄ表示に適していないコンテンツを２Ｄ表示させるようにしたが、２Ｄ表示に代わって、強い３Ｄ深度（例えば、レベル３）から弱い３Ｄ深度（例えば、レベル１）に変換して、３Ｄ表示させるようにしてもよい。
また、上述した第１及び第２実施形態において、表示制御情報記憶部Ｍ３の内容は、メーカ側で予め設定されているデフォルト内容の一部をユーザ操作に応じて変更可能としたが、表示制御情報記憶部Ｍ３の設定をユーザ操作でのみ行うようにしてもよい。
【００６３】
また、上述した第１及び第２実施形態においては、アンテナからの受信信号に基づいてその受信状況（電波の強さ）を検出する場合、電波の強さとして、例えば、１秒程度の時間、強い状態が続いているか、弱い状態が続いているかを検出する以外に、コンテンツ再生時におけるビットレートの高低に基づいてコンテンツの画質状態や音質状態を当該コンテンツの受信状況として検出するようにしてもよい。また、電波の強さと再生時のビットレートとの組み合わせを、受信状況として検出するようにしてもよい。また、音を伴うコンテンツの場合には、そのデコード時の音の乱れ程度（途切れ具合）を当該コンテンツの受信状況として検出するようにしてもよい。
【００６４】
（実施形態３）
以下、本発明の第３実施形態について図８を参照して説明する。
なお、上述した第１実施形態においては、２Ｄ表示用の受信コンテンツを３Ｄ表示用のコンテンツに変換して３Ｄ表示させるようにしたが、この第３実施形態においては、同一時間に同一内容の２Ｄ表示用コンテンツ（放送コンテンツ）と３Ｄ表示用コンテンツ（放送コンテンツ）とを受信可能な携帯電話機１において、サイマル放送としての２Ｄ表示用の放送コンテンツと３Ｄ表示用の放送コンテンツとを切り替えて２Ｄ／３Ｄ表示させるようにしたものである。ここで、第１・第３実施形態において基本的あるいは名称的に同一のものは、同一符号を付して示し、その説明を省略すると共に、以下、第３実施形態の特徴部分を中心に説明するものとする。
【００６５】
一般に、地上デジタルテレビ放送では、放送局毎に割り当てられている１チャンネルを１３セグメントに分割して、この分割帯域の中の１２セグメントを高画質、高音質のハイビジョン放送用（高解像度１２セグ放送用）とし、残りの１セグメントを移動体機器用（簡易型低解像度の１セグ放送用）としているが、テレビ放送受信部１７は、それに応じたデュアルチューナ（図示省略）を備え、高解像度のデジタルテレビ放送（１２セグ放送）を受信する１２セグ放送用チューナと、１２セグ放送よりも低解像度のデジタルテレビ放送（１セグ放送）を受信する１セグ放送用チューナを有し、この１２セグ放送用チューナと１セグ放送用チューナとの切り替えを可能とした構成となっている。
【００６６】
ここで、複数のチャンネルでサイマル放送が行われている場合、例えば、１２セグ放送用のチャンネルでは３Ｄ表示用の番組が放送され、それと同じ時間帯に同じ内容の番組として、１セグ放送用のチャンネルでは３Ｄ表示用の番組が放送されている場合、つまり、３Ｄ表示用と２Ｄ表示用のサイマル放送が行われている場合に、１２セグ放送用チューナと１セグ放送用チューナとを切り替えることによって受信チャンネルの切り替えを行い、３Ｄ表示用の番組放送と２Ｄ表示用の番組放送とのいずれかを選択して視聴可能としている。
【００６７】
図８は、第３実施形態において、テレビ機能の起動に応じて実行開始される表示制御処理を示したフローチャートである。
先ず、中央制御部１１は、テレビ放送受信部１７から放送コンテンツの受信を開始した後（ステップＤ１）、受信状況（電波の強さ）を検出し（ステップＤ２）、その結果、電波の強さが十分で受信状況が良好であれば（ステップＤ３でＹＥＳ）、２Ｄ表示用の放送コンテンツを受信中かを調べ（ステップＤ４）、３Ｄ表示用のコンテンツを受信中であれば（ステップＤ４でＮＯ）、後述するステップＤ７に移るが、２Ｄ表示用のコンテンツを受信中であれば（ステップＤ４でＹＥＳ）、この番組と同一内容の３Ｄ表示用のサイマル放送があることを条件に（ステップＤ５でＹＥＳ）、１セグ放送用チューナから１２セグ放送用チューナに切り替えることによって受信チャンネルの切り替えを行い、２Ｄ放送の受信状態からサイマル３Ｄ放送の受信状態に移行させる（ステップＤ６）。
【００６８】
そして、視差バリアを表示部１９の表層に生成させた後（ステップＤ７）、表示部１９に放送コンテンツを３Ｄ表示させる（ステップＤ８）。以下、放送コンテンツの終了（番組終了）を検出したり、放送受信の終了を指示する操作が行われたりするまで（ステップＤ９）、上述のステップＤ２に戻り、受信状況に応じた表示処理を行う。なお、ステップＤ９での終了検出に応答して、この図８の表示制御処理は終了する。
【００６９】
一方、受信状況（電波の強さ）を検出した結果、受信状況が悪ければ（ステップＤ３でＮＯ）、３Ｄ表示用の放送コンテンツを受信中かを調べ（ステップＤ１０）、２Ｄ表示用のコンテンツを受信中であれば（ステップＤ１０でＮＯ）、後述するステップＤ１３に移るが、３Ｄ表示用のコンテンツを受信中であれば（ステップＤ１０でＹＥＳ）、この番組と同一内容の２Ｄ表示用のサイマル放送があることを条件に（ステップＤ１１でＹＥＳ）、１２セグ放送用チューナから１セグ放送用チューナに切り替えることによって受信チャンネルの切り替えを行い、３Ｄ放送の受信状態からサイマル２Ｄ放送の受信状態に移行させる（ステップＤ１２）。そして、放送コンテンツを２Ｄ表示させる処理に移るが、その際、表示部１９の表面に視差バリアが生成されていれば、この視差バリアを消去した後（ステップＤ１３）、当該コンテンツを表示部１９に２Ｄ表示させる（ステップＤ１４）。以下、放送コンテンツの終了（番組終了）を検出したり、放送受信の終了を指示する操作が行われたりするまで（ステップＤ９）、上述のステップＤ２に戻る。
【００７０】
以上のように、この第３実施形態においては、放送コンテンツを受信して出力する場合に現在の受信状況に基づいて１２セグ放送用チューナと１セグ放送用チューナとを切り替えることによって、３Ｄ表示用の番組放送と２Ｄ表示用の番組放送との切り替えを行うようにしたので、チューナの切り替えによって２Ｄ表示と３Ｄ表示とを適切に切り替えることができる。
【００７１】
この場合、２Ｄ用の放送と３Ｄ用の放送とがサイマル放送されている場合に、その受信チャンネルを切り替えて放送コンテンツを選択するようにしたので、その選択を円滑かつ容易に行うことができる。
【００７２】
なお、上述した第３実施形態においては、放送コンテンツを受信して出力する場合にその受信状況（電波の強さ）を検出するようにしたが、現在の受信場所に基づいて受信状況を推測するようにしてもよい。
【００７３】
（実施形態４）
以下、本発明の第４実施形態について図９〜図１１を参照して説明する。
なお、上述した第１実施形態においては、受信したコンテンツを３Ｄ表示が可能な表示部１９に表示させる場合に、このコンテンツを受信した際の受信状況に基づいて当該コンテンツの３Ｄ表示での適性を判別すると共に、この３Ｄ表示での適性に応じて決定された表示制御にしたがって当該コンテンツを表示部１９に表示させるようにしたが、この第４実施形態においては、表示対象のコンテンツが表示部１９に再生される際の現在位置に基づいて当該コンテンツの３Ｄ表示での適性を判別すると共に、この３Ｄ表示での適性に応じて決定された表示制御にしたがって当該コンテンツを表示部１９に表示させるようにしたものである。ここで、第１・第４実施形態において基本的あるいは名称的に同一のものは、同一符号を付して示し、その説明を省略すると共に、以下、第４実施形態の特徴部分を中心に説明するものとする。
【００７４】
図９は、第４実施形態において、表示制御情報記憶部Ｍ３を説明するための図である。
表示制御情報記憶部Ｍ３は、表示対象のコンテンツを再生する際の現在位置としての「再生場所」と、この「再生場所」に基づいて表示部１９に当該コンテンツを２Ｄ表示させるか３Ｄ表示させるかを示すほかに３Ｄ表示させる場合にはその適性具合に応じてどの位の深さ（強さ）の３Ｄ深度で表示させるかを示す「表示制御情報」とを対応付けて記憶する構成となっている。この表示制御情報記憶部Ｍ３の内容は、ユーザ操作によって任意に設定可能なもので、メーカ側で予め設定されているデフォルト内容の一部をユーザ操作に応じて変更可能となっている。
【００７５】
「再生場所」は、場所情報として、位置情報（経緯度情報）、場所の名前、交通機関名などを記憶するもので、図示の例では、“自宅”、“交通機関（長距離）”、“会社／学校”、…、“その他の場所”が記憶されている。なお、“自宅”、“交通機関（長距離）”は、自室に居るとき、列車で長距離移動中のときなどのように、じっくり落ち着いてコンテンツを視聴することができるような環境（コンテンツの３Ｄ表示に最適な環境）であることを示しているのに対し、“会社／学校”は、コンテンツの３Ｄ表示にある程度適している環境を示し、“その他の場所”は、混雑した通勤／通学時の交通機関内のように、コンテンツの３Ｄ表示に適していない環境を示している。中央制御部１１は、位置検出部２３から取得した現在位置とその周辺地図に基づいて現在の場所を特定するようにしている。
【００７６】
なお、図示の例において「再生場所」と「表示制御情報」とは、次のような内容となっている。すなわち、「再生場所」の“自宅”に対応して「２Ｄ／３Ｄ」として“３Ｄ”が記憶され、「３Ｄ深度」として“レベル３”が記憶されている。また、「再生場所」の“会社／学校”に対応して「２Ｄ／３Ｄ」として“３Ｄ”が記憶され、「３Ｄ深度」として“レベル１”が記憶されている。「再生場所」の“交通機関（長距離）”に対応して「２Ｄ／３Ｄ」として“３Ｄ”が記憶され、「３Ｄ深度」として“レベル２”が記憶されている。「再生場所」の“その他の場所”に対応して「２Ｄ／３Ｄ」として“２Ｄ”が記憶され、「３Ｄ深度」として“レベル０”が記憶されている。
【００７７】
図１０は、コンテンツ記憶部Ｍ４を説明するための図である。
コンテンツ記憶部Ｍ４は、表示部１９に表示させるための表示情報（コンテンツ）を記憶するもので、例えば、情報配信装置４から動画、静止画、音楽、ニュースなどの情報をインターネット３、無線通信網２を介してダウンロードしたり、テレビ放送受信部１７によって受信した放送番組を録画記録したりした情報をコンテンツとして記憶するようにしている。このコンテンツ記憶部Ｍ４は、コンテンツを識別する「情報ＩＤ」に対応して「タイトル」、「種別」、「実データ」、「３Ｄ深度」などを記憶する構成となっている。
【００７８】
「タイトル」は、コンテンツの内容に関するタイトルを示し、図示の例では“二次元コード”、“運動会２００８”、“Ｊリーグ観戦＊＊”、“サンプル動画＊＊”、“サンプル静止画＊＊”、…である。「種別」は、動画コンテンツであるか静止画コンテンツであるかを示す種別情報である。「実データ」は、コンテンツの実データで、その「３Ｄ深度」が“レベル０（２Ｄ表示用）”の実データのみを持つコンテンツもあれば、各３Ｄ深度の実データを持つコンテンツもある。つまり、同じ内容であっても３Ｄ深度毎に実データ（２Ｄ表示を含む）をそれぞれ持つコンテンツがあり、また、３Ｄ深度がレベル０（２Ｄ表示）の実データのみを持つコンテンツがある。なお、“レベル０（２Ｄ）”は、３Ｄ深度が“レベル０（ゼロ）”で、２Ｄ（平面）であることを示している。
【００７９】
このように同じ内容のコンテンツであっても、様々な３Ｄ深度の複数のコンテンツが用意されており、中央制御部１１は、それら複数のコンテンツの中から所定の３Ｄ深度のコンテンツを選択し、その「実データ」をコンテンツ記憶部Ｍ４から読み出して表示部１９に３Ｄ表示させるが、このコンテンツ記憶部Ｍ４に記憶されていない３Ｄ深度のコンテンツにあっては、同じ内容の２Ｄコンテンツを所定の３Ｄ深度のコンテンツに変換して３Ｄ表示させるようにしている。
【００８０】
図１１は、第４実施形態において、コンテンツ再生操作に応答して実行開始される表示制御処理を示したフローチャートである。
先ず、中央制御部１１は、コンテンツ再生操作に応答して、コンテンツ記憶部Ｍ４の「タイトル」を読み出してメニュー表示させた後（ステップＥ１）、そのメニュー画面の中から表示対象として所望するコンテンツがユーザ操作によって選択されると（ステップＥ２）、その選択コンテンツを表示対象として特定する（ステップＥ３）。そして、位置検出部２３から現在の位置情報を取得した後（ステップＥ４）、この現在位置とその周辺地図、更に表示制御情報記憶部Ｍ３を参照することによって、現在位置に該当する「再生場所」を特定し（ステップＥ５）、この「再生場所」に対応する「表示制御情報」を読み出す（ステップＥ６）。
【００８１】
そして、「再生場所」に対応する「表示制御情報」の「２Ｄ／３Ｄ」を参照し、“３Ｄ”であるか、つまり、３Ｄ表示に適したコンテンツであるかを調べる（ステップＥ７）。いま、現在位置に該当する場所を特定することができなかったときには、「再生場所」として“その他の場所”に対応する「表示制御情報」が読み出されるが、その「２Ｄ／３Ｄ」は“２Ｄ”であるから、３Ｄ表示に適していないコンテンツであると判断する（ステップＥ７でＮＯ）。そして、コンテンツ記憶部Ｍ４を検索し、２Ｄの「実データ」が記憶されていれば（ステップＥ８でＹＥＳ）、その「実データ」を読み出し（ステップＥ９）、２Ｄの「実データ」が記憶されていなければ（ステップＥ８でＮＯ）、２Ｄ／３Ｄ変換処理部２０によって３Ｄの「実データ」を２Ｄのデータに変換させる（ステップＥ１０）。
【００８２】
なお、３Ｄの「実データ」を２Ｄのデータに変換する代わりに、３Ｄ深度の異なる複数の「実データ」の中から最も弱い（２Ｄに近い）深度の「実データ」を選択して２Ｄのデータに変換するようにしてもよい。そして、２Ｄ表示させる処理に移るが、その際、表示部１９の表面に視差バリアが生成されていれば、この視差バリアを消去したのち（ステップＥ１１）、当該コンテンツを表示部１９に２Ｄ表示させる（ステップＥ１２）。以下、コンテンツ表示の終了が指示されるまで（ステップＥ１３でＹＥＳ）、選択コンテンツを２Ｄ表示させる（ステップＥ１２、Ｅ１３）。
【００８３】
また、例えば、「再生場所」が“その他の場所”以外であれば、この「再生場所」に対応する「表示制御情報」の「２Ｄ／３Ｄ」は“３Ｄ”であるから（ステップＥ７でＹＥＳ）、それに対応する「３Ｄ深度」に基づいてコンテンツ記憶部Ｍ４を検索し、当該「３Ｄ深度」に対応する３Ｄの「実データ」の有無を調べる（ステップＥ１４）。なお、「実データ」には、「３Ｄ深度」が“レベル０”の実データのみを持つコンテンツもあれば、各３Ｄ深度の実データを持つコンテンツもある。いま、「３Ｄ深度」に該当する３Ｄの「実データ」が記憶されていれば（ステップＥ１４でＹＥＳ）、その「実データ」を読み出して（ステップＥ１５）、３Ｄ表示させる処理に移るが、その際、視差バリアを表示部１９の表層に生成させた後（ステップＥ１７）、表示部１９に３Ｄ表示させる（ステップＥ１８）。以下、コンテンツ表示の終了を指示する操作が行われるまで（ステップＥ１９でＹＥＳ）、選択コンテンツを３Ｄ表示させる（ステップＥ１８、Ｅ１９）。
【００８４】
また、「３Ｄ深度」に対応する３Ｄの「実データ」が記憶されていなければ（ステップＥ１４でＮＯ）、つまり、別の３Ｄ深度（例えば、深度レベル“１”）の「実データ」しか記憶されていなければ、２Ｄ／３Ｄ変換処理部２０によって、この別の３Ｄ深度の「実データ」を、「再生場所」に応じた３Ｄ深度のコンテンツに変換させる（ステップＥ１６）。そして、上述の場合と同様に、視差バリアを表示部１９の表層に生成させた後（ステップＥ１７）、表示部１９に３Ｄ表示させる（ステップＥ１８）。以下、コンテンツ表示の終了を指示する操作が行われるまで（ステップＥ１９でＹＥＳ）、選択コンテンツを３Ｄ表示させる（ステップＥ１８、Ｅ１９）。
【００８５】
以上のように、この第４実施形態においては、表示対象のコンテンツが表示部１９に再生される際の現在位置に基づいて当該コンテンツの３Ｄ表示での適性を判別し、この３Ｄ表示での適性に応じて決定された表示制御にしたがって当該コンテンツを表示部１９に表示させるようにしたようにしたので、再生時の現在位置に応じて２Ｄ表示の見易い表示から臨場感のある３Ｄ表示まで適切な表示を実現することができる。この場合、例えば、自室に居るとき、列車で長距離移動中などのように、じっくり落ち着いてコンテンツを視聴できるような環境では、臨場感のある３Ｄ表示を楽しむことができる。
【００８６】
また、再生時の現在位置が予め設定されている特定場所に該当するかによって３Ｄ表示での適性を判別するようにしたので、例えば、特定場所で３Ｄ表示を行ったり、逆に、特定場所以外で３Ｄ表示を行ったりすることができる。
【００８７】
３Ｄ表示での適性に基づいて当該コンテンツを２Ｄ表示させるか３Ｄ表示させるかを制御するようにしたので、２Ｄ表示と３Ｄ表示とを適切に切り替えることができる。
【００８８】
３Ｄ表示での適性に応じて３Ｄの奥行きや飛び出しの程度を示す３Ｄ深度を決定して３Ｄ表示させるようにしたので、コンテンツの内容に応じて３Ｄ深度を制御することができる。
【００８９】
３Ｄ表示での適性具合に応じて３Ｄ深度を決定するようにしたので、より３Ｄ表示に適しているコンテンツをより強い３Ｄ深度で表示させることができる。
【００９０】
３Ｄ表示に適しているか否かを判別するために表示制御情報記憶部Ｍ３の内容をユーザ操作によって任意に設定可能としたので、ユーザの好みに応じて臨場感のある３Ｄ表示を実現することができる。
【００９１】
なお、上述した第４実施形態においても、３Ｄ表示での適正に応じた表示制御の実行可否（オン／オフ）をユーザ操作によって任意に選択する表示制御フラグＣＦを設けるようにしてもよい。これによって３Ｄ表示での適正に応じた表示制御の実行可否をユーザの要求に応じて制御することができるようになる。
【００９２】
また、上述した第４実施形態においても、２Ｄ表示と３Ｄ表示との間で表示切替を行うか、３Ｄ表示の深度の変更を行うかを選択する表示制御フラグＣＦを設けるようにしてもよい。これによって２Ｄ表示と３Ｄ表示との間で表示切替を行うか、３Ｄ表示の深度の変更を行うかをユーザの要求に応じて制御することができる。
【００９３】
また、上述した第４実施形態においては、決定した３Ｄ深度の「実データ」が記憶されていない場合には、別の３Ｄ深度の実データを決定した３Ｄ深度の実データに変換するようにしたが、決定した３Ｄ深度の実データを情報配信装置４に要求して受信するようにしてもよい。
【００９４】
また、上述した第４実施形態において、表示制御情報記憶部Ｍ３の内容は、メーカ側で予め設定されているデフォルト内容の一部をユーザ操作に応じて変更可能としたが、表示制御情報記憶部Ｍ３の設定をユーザ操作でのみ行うようにしてもよい。
【００９５】
また、上述した各実施形態において３Ｄのコンテンツは、その３Ｄ深度に応じた右目用のコンテンツと左目用のコンテンツを同時に表示して、それらが正しく３Ｄに見えるように３Ｄ深度に応じた視差バリアを表示部１９の表層に生成して３Ｄ表示を行う方法を例示したが、例えば、コンテンツが３Ｄに見えるような視覚効果を施して３Ｄ表示を行う方法など、任意の３Ｄ表示方法であってもよい。
【００９６】
その他、記憶部１３はメモリカードや外付けハードディスクなど、任意の外部記憶装置であってもよい。また、表示部１９は、外部モニタなど、任意の外部表示装置であってもよい。また、端末装置は携帯電話機１に限らず、パーソナルコンピュータ、ＰＤＡ、デジタルカメラ、音楽プレイヤーなど、任意の端末装置であってもよい。更に、折り畳みタイプの端末装置に限らず、ストレートタイプ、スライドタイプ、スピントップタイプなど任意の筐体構造であってもよい。
【００９７】
また、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００９８】
１  携帯電話機
２  無線通信網
３  インターネット
４  情報配信装置
１１  中央制御部
１３  記憶部
１５  無線通信部
１７  テレビ放送受信部
１８  撮像処理部
１９  表示部
２０  ３Ｄ変換処理部
２１  操作部
２３  位置検出部
ＣＦ  表示制御フラグ
Ｍ１  プログラム記憶部
Ｍ３  表示制御情報記憶部
Ｍ４  コンテンツ記憶部
【図１】
0005381917.tif 000002
【図２】
0005381917.tif 000003
【図３】
0005381917.tif 000004
【図４】
0005381917.tif 000005
【図５】
0005381917.tif 000006
【図６】
0005381917.tif 000007
【図７】
0005381917.tif 000008
【図８】
0005381917.tif 000009
【図９】
0005381917.tif 000010
【図１０】
0005381917.tif 000011
【図１１】
0005381917.tif 000012